(57)【要約】【課題】食品が収納された密封容器を易開封し、水を食品に注いで、電子レンジで食品を茹で上げ、その後熱水を湯きりする機能を有した紙容器を提供するものである。【解決手段】頂部が切妻型屋根状に形成されているゲーブルトップ型紙容器において、対向する一対の前記外側リブパネルの上辺に、指で摘んでトップシール部を開封して頂部を全面開口するための開封片と、対向する一対の側パネルの上部に、それぞれ前記基材層のみが切り欠かれた切欠部と、少なくとも四角柱状の胴部の一角を形成し、折れ線を介して連接する側パネルの下部に、該折れ線に沿ってそれぞれ前記積層体を貫通する複数の孔と、前記孔を前記基材層側からシールするシールラベルと、を備えていることを特徴とするゲーブルトップ型紙容器である。【選択図】図４
2012116543.tif 000002
【特許請求の範囲】
【請求項１】
少なくとも紙層からなる基材層、ガスバリア性を有する中間層、内層とから構成されている積層体を用いて、四枚の側パネルが折れ線を介して連接してなる四角柱状の胴部の側パネルの上辺に連接された対向する一対の妻パネルが、それぞれ斜め折れ線によって内側に折り込まれ、同時に該妻パネルの上辺に連接された内側リブパネルが中央の折れ線によって二つに折られ、それに連動して、対向するもう一対の屋根パネルが内側に倒れこみ、該屋根パネルの上辺に連接された外側リブパネルも同時に内側に倒れこみ、該外側リブパネルが二つに折り畳まれた前記内側リブパネルを間に挟み込んで合掌シールされることにより、トップシール部が形成され、頂部が切妻型屋根状に形成されているゲーブルトップ型紙容器において、
対向する一対の前記外側リブパネルの上辺に、指で摘んでトップシール部を開封して頂部を全面開口するための開封片と、
対向する一対の側パネルの上部に、それぞれ前記基材層のみが切り欠かれた切欠部と、
少なくとも四角柱状の胴部の一角を形成し、折れ線を介して連接する側パネルの下部に、該折れ線に沿ってそれぞれ前記積層体を貫通する複数の孔と、
前記孔を前記基材層側からシールするシールラベルと、
を備えていることを特徴とするゲーブルトップ型紙容器。
【請求項２】
前記中間層が、酸化アルミニウムまたは酸化珪素を蒸着したポリエチレンテレフタレートフィルムであることを特徴とする請求項１記載のゲーブルトップ型紙容器。
【請求項３】
前記シールラベルが、少なくとも酸化アルミニウムまたは酸化珪素を蒸着したポリエチレンテレフタレートフィルムと熱融着樹脂層からなることを特徴とする請求項１または２記載のゲーブルトップ型紙容器。
【請求項４】
前記屋根パネルの内面に、熱融着性樹脂からなる不織布またはシートに吸水性樹脂を塗布した鮮度保持材を備えていることを特徴とする請求項１記載のゲーブルトップ型紙容器。
【発明の詳細な説明】
【技術分野】
【０００１】
電子レンジで加熱調理する内容物を収納した紙製の密封容器に関するものである。特に密封容器を易開封し、その開封した部分から内容物にお湯を注いで、電子レンジで加熱調理し、その後熱水を湯きりするゲーブルトップ型紙容器に関するものである。
【背景技術】
【０００２】
近年、即席ラーメン、スープを代表として、発泡ポリスチレン、紙などのカップ容器に密封包装された内容物に、熱湯を注ぎ、一定時間放置した後、そのまま内容物を食することができる食品、また即席焼きそばを代表として、発泡ポリスチレン、紙などのトレー容器に密封包装された内容物に、熱湯を注ぎ、一定時間放置した後、熱湯を湯きりして、そのまま内容物を食することができる食品などが、種々市販されている。
【０００３】
一方、予め調理された食品を密封包装した電子レンジ加熱用の食品が種々販売されている。単に電子レンジで加熱して、そのままの容器で食することができ、消費者にとっても便利性のよい食品になっている。これらに用いられる容器は、トレー形状、カップ形状が主体であり、ポリエチレンテレフタレート、ポリカーボネート、ポリプロピレンなどの耐熱プラスチックを用いた容器、また板紙と耐熱フィルムとのラミネート材を用いた容器などがある。また袋形状の容器に密封包装された食品は、電子レンジで加熱する前、または後に別な容器に移し替える必要があり、便利性に欠ける面がある。
【０００４】
また、家庭においても電子レンジを用いて食品を加熱調理することが多くなっている。個人の好みに応じて食品を色々調理することができ、各種レシピを紹介する本なども売られている。
【０００５】
このような状況から、予め電子レンジ対応容器に密封包装された電子レンジ調理用食品を購入し、電子レンジで加熱調理でき、かつ別な容器に移さず、そのままの容器で食することができる容器、即ち調理機能を備えた容器の要望が多くなってきている。
【０００６】
電子レンジで食品を調理する方法として、調理食品に部分的に焦げ目をつけるシートを部分的に用いた包装容器が提案されている（特許文献１）。
【０００７】
食品に調味料や水分付与するシートを用い味付けを行う包装容器が提案されている（特許文献２）。
【０００８】
両面が他の部材で覆われた紙からなる支持体層を有し、その内の一方の部材に鉄分を含有させた液体食品用容器で、電磁誘導加熱調理器にて加熱調理する提案がある（特許文献３）。
【０００９】
紙からなる支持体層とガスバリア性を有するアルミニウム箔を積層した液体紙容器で、アルミニウム箔を塩化ビニリデンフィルムに置き換えることにより、電子レンジで加熱調理する提案がある（特許文献４）。
【００１０】
最近では健康志向もあり、個人で調理する志向が一層高まっている。電子レンジ対応容器も環境面でプラスチック成形容器から紙容器への移行もあり、密封包装した食品を電子レンジを用いて調理できる機能を有した紙容器が望まれている。
【先行技術文献】
【特許文献】
【００１１】
【特許文献１】特開２０００−２１８７２８号公報
【特許文献２】特開昭６０−４９７５０号公報
【特許文献３】特開平１１−７０９９３号公報
【特許文献４】実開昭６２−１９２３５号公報
【発明の概要】
【発明が解決しようとする課題】
【００１２】
電子レンジで加熱調理する食品を収納する密封容器で、密封容器を開封後、電子レンジで食品を茹で上げることができる機能を有し、特に密封容器を易開封し、水を食品に注いで、電子レンジで食品を茹で上げ、その後熱水を湯きりする機能を有したゲーブルトップ型紙容器を提供するものである。
【課題を解決するための手段】
【００１３】
上記の課題を解決するために、発明者らは鋭意検討を行い、本発明を完成した。
【００１４】
本発明の請求項１に係る発明は、少なくとも紙層からなる基材層、ガスバリア性を有する中間層、内層とから構成されている積層体を用いて、四枚の側パネルが折れ線を介して連接してなる四角柱状の胴部の側パネルの上辺に連接された対向する一対の妻パネルが、それぞれ斜め折れ線によって内側に折り込まれ、同時に該妻パネルの上辺に連接された内側リブパネルが中央の折れ線によって二つに折られ、それに連動して、対向するもう一対の屋根パネルが内側に倒れこみ、該屋根パネルの上辺に連接された外側リブパネルも同時に内側に倒れこみ、該外側リブパネルが二つに折り畳まれた前記内側リブパネルを間に挟み込んで合掌シールされることにより、トップシール部が形成され、頂部が切妻型屋根状に形成されているゲーブルトップ型紙容器において、
対向する一対の前記外側リブパネルの上辺に、指で摘んでトップシール部を開封して頂部を全面開口するための開封片と、
対向する一対の側パネルの上部に、それぞれ前記基材層のみが切り欠かれた切欠部と、
少なくとも四角柱状の胴部の一角を形成し、折れ線を介して連接する側パネルの下部に、該折れ線に沿ってそれぞれ前記積層体を貫通する複数の孔と、
前記孔を前記基材層側からシールするシールラベルと、
を備えていることを特徴とするゲーブルトップ型紙容器である。
【００１５】
本発明の請求項２に係る発明は、前記中間層が、酸化アルミニウムまたは酸化珪素を蒸着したポリエチレンテレフタレートフィルムであることを特徴とする請求項１記載のゲーブルトップ型紙容器である。
【００１６】
本発明の請求項３に係る発明は、前記シールラベルが、少なくとも酸化アルミニウムまたは酸化珪素を蒸着したポリエチレンテレフタレートフィルムと熱融着樹脂層からなることを特徴とする請求項１または２記載のゲーブルトップ型紙容器である。
【００１７】
本発明の請求項４に係る発明は、前記屋根パネルの内面に、熱融着性樹脂からなる不織布またはシートに吸水性樹脂を塗布した鮮度保持材を備えていることを特徴とする請求項１記載のゲーブルトップ型紙容器である。
【発明の効果】
【００１８】
本発明は、電子レンジで加熱調理する食品を収納し密封された四角柱状の紙容器で、紙容器のトップシール部を全面開封し、容器内の食品に水を注ぎ、電子レンジで加熱し、食品を茹で上げ、その後熱水を湯きりすることにより、茹で上げた食品を食することを可能にしたゲーブルトップ型紙容器である。
【００１９】
本発明の請求項１によれば、少なくとも紙層からなる基材層、ガスバリア性を有する中間層、内層とから構成されている積層体を用いて、頂部が切妻型屋根状に形成さているゲーブルトップ型紙容器であり、対向する一対の屋根パネルに連接された外側リブパネルの上辺に開封片を備えたことにより、指で摘んでトップシール部を開封して頂部を全面開口することができる。これにより、紙容器内の食品に水を注ぐことが容易にできる。
【００２０】
対向する一対の側パネルの上部に、それぞれ少なくとも紙層からなる基材層のみが切り欠かれた切欠部を備えたものである。この切欠部は、紙容器内を観る窓部である。特に食品に注ぐ水を適正な量まで入れるのを確認する為に備えたものである。
【００２１】
少なくとも四角柱状の胴部の一角を形成し、折れ線を介して連接する側パネルの下部に、該折れ線に沿ってそれぞれ前記積層体を貫通する複数の孔を備えたことにより、食品を電子レンジで茹で上げた後、この複数の孔から熱水を湯切りすることができる。
【００２２】
複数の孔を基材層側よりシールするシールラベルを備えている。これは食品を密封するのと同時に、電子レンジで食品を茹でる際に水や熱水の漏れを防ぐものである。食品を茹で上げた後は、シールラベルを剥がし、紙容器内の熱水を湯切りして調理が出来上がるのである。
【００２３】
上記のように、密封されていた食品を他の容器に移し換えたりすることがなく、紙容器に収納した状態で茹で上げることができる紙容器である。またその状態で調味料を用いて味付けし食することもできる。
【００２４】
本発明の請求項２によれば、中間層が、酸化アルミニウムまたは酸化珪素を蒸着したポリエチレンテレフタレートフィルムであることを特徴とする。特に食品の酸化を防ぐためには、ガスバリア性が必要である。酸素、水蒸気のガスバリア性を有するために、酸化アルミニウムまたは酸化珪素の金属酸化物をポリエチレンテレフタレートフィルムに蒸着したものを用いる。また他の金属酸化物としては、酸化マグネシウムやこれらの混合物などを用いることができる。透明性とガスバリア性を有する層であればよい。また金属酸化物の蒸着層の厚みは５〜３００ｎｍの範囲が好ましく、その値は適宜選択すればよい。またアルミニウム箔をガスバリア層として使用することも可能であるが、使用後の紙容器の廃棄性で再資源化が出来ない問題がある。
【００２５】
本発明の請求項３によれば、シールラベルが、少なくとも酸化アルミニウムまたは酸化珪素を蒸着したポリエチレンテレフタレートフィルムと熱融着樹脂層からなることを特徴とする。湯きり部からのガスバリアの低下を防ぐのと、食品を茹でるときの熱水の漏れを防止するのである。熱融着樹脂層は、ポリエチレンなどのポリオレフィン系樹脂からなる。該熱融着樹脂層を酸化アルミニウムまたは酸化珪素を蒸着したポリエチレンテレフタレートフィルムに積層し、紙容器の外層のポリエチレン層と熱融着してシールラベルを貼着する。尚、熱融着樹脂層を積層する面は、金属酸化物の蒸着面でも、ポリエチレンテレフタレートフィルム面でもよく限定されない。
【００２６】
本発明の請求項４によれば、前記屋根パネルの内面に、鮮度保持材を備えていることを特徴とする。紙容器内の食品の品質を長く保つために、紙容器内の空気を窒素ガスに置換する。更に鮮度保持材も併用して用いることにより、食品の品質を長く保つことができる。また妻パネルの内面にも備えることは可能である。
【００２７】
鮮度保持材は、吸水性樹脂を用いることにより、紙容器の内面に付着した水分や、食品からの余剰水分を吸水して品質を保つことができる。
【００２８】
本発明の紙容器は、紙容器内に密封された食品を、茹で上げることができる調理機能を有したゲーブルトップ型紙容器である。
【図面の簡単な説明】
【００２９】
【図１】本発明のゲーブルトップ型紙容器の表面の状態の一例を示すブランクシートの説明図である。
【図２】本発明のゲーブルトップ型紙容器の裏面の状態の一例を示すブランクシートの説明図である。
【図３】本発明のゲーブルトップ型紙容器の一例を示す説明図である。
【図４】本発明のゲーブルトップ型紙容器の一例を示す斜視図である。
【図５】本発明のゲーブルトップ型紙容器の切欠部の一例を示す説明図である。
【図６】本発明のゲーブルトップ型紙容器の複数の孔の一例を示す説明図である。
【図７】本発明のゲーブルトップ型紙容器の平面図である。
【図８】本発明のゲーブルトップ型紙容器のトップシール部を開口した一例を示す説明図である。
【図９】本発明のゲーブルトップ型紙容器の湯きりの状態の一例を示す説明図である。
【図１０】本発明のゲーブルトップ型紙容器の湯きりの状態の一例を示す説明図である。
【発明を実施するための形態】
【００３０】
以下本発明を実施するための形態につき説明する。
【００３１】
図１は、本発明のゲーブルトップ型紙容器の表面の状態の一例を示すブランクシート１の説明図である。ブランクシート１は、背シールパネル１１０と胴部を形成する四枚の側パネル、１２０、１３０、１４０、１５０からなり、側パネルの上辺に連接された対向する一対の妻パネル１６０、１８０が、それぞれの斜め折れ線２０によって内側に折り込まれるようにしている。また妻パネルの上辺には、内側リブパネルがそれぞれ２００、２１０に連接されている。対向するもう一対の屋根パネル１７０、１９０にも上辺にそれぞれ外側リブパネル２２０．２３０が連接されている。また外側リブパネル２２０、２３０の上辺にはそれぞれ開封片２４０、２５０が連接されている。ブランクシート１は、開封部Ｅ、トップシール部Ａ、頂部Ｂ、胴部Ｃ、底部Ｄからなっている。
【００３２】
食品を茹でるために注ぐ水量を確認する切欠部３００を一対の側パネルに設けている。一対の屋根パネルに連接している側パネル、または一対の妻パネルに連接している側パネルどちらに設けてもよく限定されない。また電子レンジで食品を茹で上げた後の熱水を湯きりする複数の孔３１０を折れ線２１を介して隣接する側パネル１３０、１４０の下部にそれぞれ折れ線２１に沿って設けている。また湯きりする複数の孔をシールするシールラベル３２０を備えている。
【００３３】
図２は、本発明のゲーブルトップ型紙容器の裏面の状態の一例を示すブランクの説明図である。図２に示すように、屋根パネルの内面に鮮度保持材３３０を熱融着して固着している。鮮度保持材は、熱融着樹脂であるポリオレフィン系樹脂からなる不織布またはシートに吸水性樹脂を塗布、含浸したものを用いる。該熱融着樹脂層と屋根パネルの内層のポリエチレン層９とを熱融着し固定する。特に固定する場所は、屋根パネルの内面に限定することはなく、妻パネルの内面でもよい。また紙容器の内面に、食品に対する水の適正量の示す入水確認線２２を形成しておくことにより、適正な水量を確保するができる。この入水確認線は、ブランクシートを作成するときに、罫線を入れて設けることができる。
【００３４】
図３は、本発明のゲーブルトップ型紙容器Ｆの一例を示す説明図である。トップシール部Ａの上部には開封片が連接されつまみ部Ｅが形成されている。また屋根パネルの内面に
吸水性樹脂を塗布した不織布からなる鮮度保持材３３０を備えている。これは食品を本発明の紙容器に収納する際に、長く品質保持をする必要性から容器内の環境を窒素ガスにて置換する。鮮度保持材は、紙容器の内面に付着した水分、食品自体から発生する余剰な水分を吸収して、食品の品質を長く保つことができる。また妻パネルの内面にも備えることは可能である。図３に示す側パネルの点線は、水を適正量入れる入水確認線を示している。また妻パネルに連接された側パネルの左の下部には、折れ線２１に沿って複数の孔３１０をシールするシールラベル３２０が貼着されている。
【００３５】
図４は、本発明のゲーブルトップ型紙容器Ｆの一例を示す斜視図である。屋根パネルに連接された側パネルには、入水確認線２２より上部の位置に切欠部３００を設けている。この切欠部３００は、紙の基材層を削除していることから容器内部を観ることができ、適正量の入水の確認することができる。また食品の茹で上がり状態も確認することができる。この側パネルの右の下部にも折れ線２１に沿って複数の孔３１０をシールするシールラベル３２０が貼着されている。この複数の孔３１０は、妻パネルに連接された側パネルと屋根パネルに連接された側パネルが折れ線２１を挟んでそれぞれの下部に折れ線２１に沿って設けられている。茹で上げた熱水の湯きりをするために設けたものである。またシールラベルは、基材層側から貼着され、ラベルのポリエチレン層１０と紙容器の外層のポリエチレン層３とをヒートシールし貼着する。
【００３６】
図５は、本発明のゲーブルトップ型紙容器の切欠部の一例を示す説明図である。本発明の紙容器に用いられる積層体２は、基材層であるポリエチレン層３／紙層４、中間層である金属酸化物蒸着層６を有したポリエチレンテレフタレートフィルム７、内層であるポリエチレンフィルム９を図５に示すように接着層５、８を介して積層したものである。接着層５，８は、ポリエチレン樹脂の押出し加工により作成される。
【００３７】
切欠部３００は、積層体２の基材層側から打抜き加工を行い、基材層のみをハーフカットし、切り取り、切欠部を形成することができる。積層体２の巻取りから所定の位置に合わせ、ハーフカットを行い、切欠部３００を形成し、その後ブランクシートに打抜き加工して形成することができる。またブランクシートにしてから所定の位置にハーフカットを行い形成することもできる。
【００３８】
図６は、本発明のゲーブルトップ型紙容器の複数の孔３１０の一例を示す説明図である。熱水を湯きりする孔３１０を示している。積層体２を打抜き加工により孔を作成する。この孔は湯きりをスムーズに行うためにも複数設ける方が好ましい。孔のサイズは入れる食品の形状により適宜決めればよい。また複数の孔をシールするシールラベル３２０を設けている。
【００３９】
複数の孔３１０は、積層体２の内層であるポリエチレン層から打抜き加工を行い、積層体を貫通させて形成させることができる。積層体２の巻取りから所定の位置に合わせ、抜き加工を行い、複数の孔３１０を形成し、その後ブランクシートに打抜き加工して形成することができる。またブランクシートにしてから所定の位置に抜き加工を行い形成することもできる。
【００４０】
また複数の孔をシールするシールラベル３２０を設けている。シールラベル３２０は、金属酸化物蒸着層６を有したポリエチレンテレフタレートフィルム７と熱融着樹脂層からなっている。熱融着樹脂層はポリエチレン層１０である。該ポリエチレン層１０を金属酸化物蒸着層６の面に積層し、該ポリエチレン層１０と紙容器の外層であるポリエチレン層３をヒートシールして貼着することができる。またシールラベルを剥がすときには、ラベルの端部を未シール（図には示していない）にすることにより、その未シール部を指で摘んでシールラベルを剥がすことができる。剥がす面は紙の層間から剥離する。
【００４１】
シールラベル３２０を基材層側から貼着する方法は、ブランクシートの複数の孔の位置に対して、予め所定の寸法に作成されたシールラベルを、シールラベルのポリエチレン層１０と紙容器の紙容器の外層であるポリエチレン層３をヒートシールして貼着する。またブランクシートを容器に組み立てる過程で貼着することもできる。
【００４２】
図７は、本発明のゲーブルトップ型紙容器の平面図である。トップシール部の上部に連接した開封片、つまみ部Ｅを示している。二枚の屋根パネルの外側リブパネル２２０、２３０の上部に連接した開封片２４０、２５０をそれぞれ指で掴み、左右に引っ張ることでトップシール部を容易に剥がし全面開口することができる。
【００４３】
図８は、本発明のゲーブルトップ型紙容器のトップ部を開口した一例を示す説明図である。開封片２４０、２５０をそれぞれ指で掴み、左右に引っ張ることで、妻パネルの内側パネル２００、２１０、屋根パネルの外側リブパネル２２０，２３０のそれぞれの合掌シールされたトップシール部Ａを容易に開口することができる。
【００４４】
図９は、本発明のゲーブルトップ型紙容器の湯きりの状態の一例を示す説明図である。電子レンジで食品を茹で上げたあとに、シールラベルを剥がし、熱水を湯きりする状態を示している。複数の孔３１０から熱水が湯きりされる。
【００４５】
図１０は、本発明のゲーブルトップ型紙容器の湯きりの状態の一例を示す説明図である。熱水を十分に湯きりするようにするには、図１０のように紙容器を傾けることにより紙容器内の熱水を湯きりできる。茹でた食品は、別な容器に移し換えず、調味料を加え食することができる。
【００４６】
以下、本発明を実施するための形態を更に詳細に説明する。
【００４７】
図１、２のブランクシート１を構成する積層体２は、通常坪量が２００〜５００ｇ／ｍ２、密度０．６〜１．１ｇ／ｃｍ３とし、表面（外層）には１５〜３０μｍのポリエチレンフィルムを貼り合わせる、ポリエチレンフィルムの貼り合わせは、ポリエチレン樹脂を押出し機にて押出し、ラミネートすることで可能である。
【００４８】
基材層の裏面と、接着層としてポリエチレン層５を介して中間層である金属酸化物蒸着ポリエチレンテレフタレートフィルム７の蒸着面とを貼り合わせる。またポリエチレンテレフタレートフィルム７面に接着層としてポリエチレン層８を介し内層である３０〜１００μｍのポリエチレン層９を積層する。また逆に金属酸化物蒸着面と内層である３０〜１００μｍのポリエチレン層とを貼り合せてもよい。
【００４９】
積層体２は、表面から順にポリエチレン層（外層）３／紙層４／ポリエチレン層５／金属酸化物蒸着層６／ポリエチレンテレフタレートフィルム７／ポリエチレン層８／ポリエチレン層（内層）９である。この積層体２を、容器形状に合わせ、ブランクシート１を作成する。
【００５０】
このブランクシート１の所定の位置に、切欠部を設けるためのハーフカット加工、複数の孔を設けるための打抜き加工を行う。尚、このハーフカットおよび打抜き加工は、予め積層体の巻取りにて加工して、その後ブランクシート１を形成する。またブランクシートに加工する時に同時に形成してもよい。またブランクシートにしてから、後加工で形成してもよい。
【００５１】
また複数の孔３１０をシールするシールラベル３２０は、基材層側から複数の孔をシー
ルし貼着する。シールラベル３２０のポリエチレン層１０と紙容器の外層であるポリエチレン層３をヒートシールする。またシールラベル３２０を剥がすときには、ラベルの端部を未シールにすることにより、未シール部（図には示していない）を指で摘んで剥がすことができる。剥離面は紙の層間から剥離する。またシールラベルのポリエチレン層１０が、感圧粘着タイプの粘着剤でも可能である。この場合は、食品衛生面、耐熱性などから選択することができる。
【００５２】
このブランクシート１を図３、図４のようにゲーブルトップ型紙容器に組み立てる。対向する一対の屋根パネルに連接された外側リブパネルの上辺に開封片、屋根パネルの内面には鮮度保持剤を備え、また入水確認線より上部に切欠部を備え、容器内を観ることができるようにし、また茹でた後の熱水を湯きりする複数の孔とそれら孔をシールするシールラベルを備えた電子レンジで調理できる紙容器である。
【００５３】
図３、図４に示すゲーブルトップ型紙容器の開封片を摘んで左右に引っ張るようにすれば、図７、図８に示すようにトップシール部を開封して頂部を全面開口する。これにより、紙容器内の食品に、予め適正な水量の入水確認線まで注ぐことが容易にできる。
【００５４】
紙容器内の食品に水を注いだ後、電子レンジで加熱調理することにより食品を茹で上げることができる。所定の時間茹でた後、複数の孔をシールしているシールラベルを剥がし、図９、図１０に示すように湯きりして食品は出来上がる。
【００５５】
本発明に用いる鮮度保持材は、ポリアクリル酸ナトリウム塩やその架橋体、デン粉アクリル酸グラフト共重合体などの吸水性樹脂をポリエチレンの不織布またはシートに塗布もしくは含浸して得ることができる。またポリエチレンの不織布を用いた袋に吸水性樹脂を収納したものでもよい。紙容器の屋根パネルの内層のポリエチレン層に熱融着して貼着することができる。
【００５６】
紙容器の表面（外層）には、通常印刷される。印刷方式としては、グラビア印刷、オフセット印刷、インクジェット印刷、フレキソ印刷など通常の方式を用いることができる。
【００５７】
本発明の茹で上げる機能を有した紙容器に収納する食品としては、スパゲッティ、マカロニ、干麺、ハルサメなどを挙げることができる。他の食品で茹でる必要性があるものがあれば特にこだわらない。
【００５８】
本発明の紙容器は、組み立て時に接着剤を使用しないことから、調理中に接着剤の成分が溶出し、食品に混入する問題がない。また接着剤の臭いがない。使用後は、再資源化物として廃棄することができる。
【産業上の利用可能性】
【００５９】
本発明の紙容器は、電子レンジを用いて茹で上げる機能の他に、アルファ米などのご飯を炊くことができる。また食品の下に仕切りを設ければ、水を入れて蒸すこともできる。
【符号の説明】
【００６０】
１  ブランクシート
２  積層体
３  ポリエチレン層（外層）
４  紙層
５  接着層（ポリエチレン層）
６  金属酸化物蒸着層
７  ポリエチレンテレフタレートフィルム
８  接着層（ポリエチレン層）
９  ポリエチレン層（内層）
１０  ポリエチレン層（シールラベル）
２０  斜め折れ線
２１  折れ線
２２  入水確認線
１１０  背シールパネル
１２０、１３０、１４０、１５０  側パネル
１６０  妻パネル
１８０  妻パネル
１７０  屋根パネル
１９０  屋根パネル
２００  内側リブパネル
２１０  内側リブパネル
２２０  外側リブパネル
２３０  外側リブパネル
２４０  開封片
２５０  開封片
３００  切欠部
３１０  孔
３２０  シールラベル
３３０  鮮度保持材
Ａ  トップシール部
Ｂ  頂部
Ｃ  胴部
Ｄ  底部
Ｅ  つまみ部
Ｆ  本発明のゲーブルトップ型紙容器
Ｇ  熱水に流れ
【図１】
2012116543.tif 000003
【図２】
2012116543.tif 000004
【図３】
2012116543.tif 000005
【図４】
2012116543.tif 000006
【図５】
2012116543.tif 000007
【図６】
2012116543.tif 000008
【図７】
2012116543.tif 000009
【図８】
2012116543.tif 000010
【図９】
2012116543.tif 000011
【図１０】
2012116543.tif 000012